(57)【要約】      （修正有）【課題】ネットワーク放送において、バンド幅の変動により画面の停滞又は中断が発生する。【解決手段】（ａ）先ずオーディオビジュアル放送装置を通してオーディオビジュアル・データ提供者から所定量の広告を選び取ると共に、該広告を該記憶媒体に記憶するステップと、（ｂ）放送開始前にオーディオビジュアル・データ提供者は該観賞オーディオビジュアル・データの一部を事前に伝送した後すぐ該観賞オーディオビジュアル・データの放送を行うと共に継続伝送するステップと、（ｃ）該観賞オーディオビジュアル・データの伝送流量を検査するステップと、（ｄ）該伝送流量が設定値よりも高い場合には、該観賞オーディオビジュアル・データを継続放送するステップと、（ｅ）該伝送流量が設定値より低い場合には、該広告を放送するステップと、（ｆ）ステップ（ｃ）ないしステップ（ｅ）を繰り返すステップと、を備えてなる。【選択図】    図２
2004289463.tif 000002
【特許請求の範囲】
【請求項１】
記憶媒体を有しそしてインタネットからの、オーディオビジュアル・データ提供者により提供された観賞オーディオビジュアル・データを即時放送するオーディオビジュアル放送装置に、応用される方法であって、
（ａ）使用者がインタネットの前記オーディオビジュアル・データ提供者を連結するに当たって、先ず前記オーディオビジュアル放送装置を通してオーディオビジュアル・データ提供者から所定量の特定オーディオビジュアル・データを選び取ると共に、前記特定オーディオビジュアル・データを前記記憶媒体に記憶するステップと、
（ｂ）使用者が前記オーディオビジュアル・データ提供者の観賞オーディオビジュアル・データを選択して放送する時に、前記オーディオビジュアル・データ提供者は前記観賞オーディオビジュアル・データの一部を前記記憶媒体の一オーディオビジュアル・データの一時的記憶域に伝送した後すぐ前記観賞オーディオビジュアル・データの放送を行い、同時に、前記観賞オーディオビジュアル・データのその他の部分を前記オーディオビジュアル・データの一時的記憶域に継続伝送するステップと、
（ｃ）前記観賞オーディオビジュアル・データの伝送流量を検査するステップと、
（ｄ）前記伝送流量が設定値よりも高い場合には、前記観賞オーディオビジュアル・データを継続放送すると同時に、前記観賞オーディオビジュアル・データを前記オーディオビジュアル・データの一時的記憶域に伝送するステップと、
（ｅ）前記伝送流量が設定値よりも低い場合には、前記特定オーディオビジュアル・データを放送すると同時に、前記観賞オーディオビジュアル・データを該オーディオビジュアル・データの一時的記憶域に伝送するステップと、
（ｆ）ステップ（ｃ）ないしステップ（ｅ）を繰り返すステップと、を備えてなることを特徴とする、オーディオビジュアル・データの放送中断の防止方法。
【請求項２】
前記記憶媒体は前記オーディオビジュアル放送装置に内蔵され、又は該オーディオビジュアル放送装置の外側に設置されていることを特徴とする請求項１記載の方法。
【請求項３】
前記記憶媒体はハード・ディスクであり、そして前記オーディオビジュアル放送装置はセットトップ・ボックスであることを特徴とする請求項１記載の方法。
【請求項４】
前記オーディオビジュアル・データ提供者はオーディオビジュアル・データ提供サイトであることを特徴とする請求項１記載の方法。
【請求項５】
前記特定オーディオビジュアル・データは広告であり、又は前記観賞オーディオビジュアル・データのセグメントであることを特徴とする請求項１記載の方法。
【請求項６】
記憶媒体を有しそしてインタネットからのオーディオビジュアル・データ提供者により提供された観賞オーディオビジュアル・データを即時放送するオーディオビジュアル放送装置に、応用される方法であって、
（ａ）使用者がインタネットの前記オーディオビジュアル・データ提供者を連結するに当たって、先ず前記オーディオビジュアル放送装置により前記オーディオビジュアル・データ提供者から所定量の特定オーディオビジュアル・データを選び取ると共に、前記特定オーディオビジュアル・データを前記記憶媒体に記憶するステップと、
（ｂ）使用者が前記オーディオビジュアル・データを選択して放送する時に、前オーディオビジュアル・データ提供者は前記観賞オーディオビジュアル・データの一部を前記記憶媒体の一オーディオビジュアル・データの一時的記憶域に伝送した後すぐ前記観賞オーディオビジュアル・データの放送を行い、同時に、該観賞オーディオビジュアル・データのその他の部分を前記オーディオビジュアル・データの一時的記憶域に継続伝送するステップと、
（ｃ）前記オーディオビジュアル・データの一時的記憶域の観賞オーディオビジュアル・データ記憶量を検査するステップと、
（ｄ）前記観賞オーディオビジュアル・データ記憶量が設定値よりも高い場合には、該観賞オーディオビジュアル・データを継続放送すると同時に、該観賞オーディオビジュアル・データを該オーディオビジュアル・データの一時的記憶域に伝送するステップと、
（ｅ）前記観賞オーディオビジュアル・データ記憶量が設定値よりも低い場合には、前記特定オーディオビジュアル・データを放送すると同時に、該観賞オーディオビジュアル・データを該オーディオビジュアル・データの一時的記憶域に伝送するステップと、
（ｆ）ステップ（ｃ）ないしステップ（ｅ）を繰り返すステップと、
を備えてなることを特徴とする、オーディオビジュアル・データの放送中断の防止方法。
【請求項７】
前記オーディオビジュアル放送装置はセットトップ・ボックスであり、そして前記オーディオビジュアル・データ提供者はオーディオビジュアル・データ提供サイトであることを特徴とする請求項６記載の方法。
【発明の詳細な説明】
【０００１】
【発明の属する技術分野】
本発明はオーディオビジュアル・データの放送中断の防止方法に関し、特にオーディオビジュアル放送装置に応用される、オーディオビジュアル・データの放送中断の防止方法に関する。
【０００２】
【従来の技術】
ブロードバンド・ネットワークの伝送が日増しに普及し、ネットワーク・オーディオビジュアルが益々普遍的になってきた今日、ネットワーク即時放送技術はもはや商業ウェブサイト、ネットワーク・セリングの応用に主流な媒介として重要な技術となっている。
【０００３】
しかしながら、目前ネットワークに用いられている即時放送技術はネットワークのバンド幅が不安定であり、この状態下ではネットワーク上のオーディオビジュアル即時放送データの流量が中断したために、使用時に常に画面の停滞又は中断の現象が現れる。そしてこの問題を解決しようとするならば、ネットワークのバンド幅を増加しなければならないが、このために放送品質を考慮すべきか又はネットワークのバンド幅を考慮すべきかの問題に直面し、どれを選択すればよいかに戸惑う。つまり両者を同時に満足するように考慮できない。
【０００４】
したがって出願人は上記事情に鑑み、鋭意試験及び研究を重ねた結果、ついに本発明の「オーディオビジュアル・データの放送中断の防止方法」を案出した。
【０００５】
【発明が解決しようとする課題】
本発明の主たる目的は現有のネットワークバンド幅を利用して、ネットワーク即時放送データの流量が中断したために、使用時に画面の停滞又は中断の現象が起こるのを防止し、同時に、ネットワーク視聴データの提供者にネットワーク広告放送の規制を提供できる、オーディオビジュアル・データの放送中断の防止方法を提供することにある。
【０００６】
本発明の次の目的は蓄積媒体を有するオーディオビジュアル放送装置に応用される、オーディオビジュアル・データの放送中断の防止方法を提供することにある。
【０００７】
【課題を解決するための手段】
上記目的を達成するためのオーディオビジュアル・データの放送中断の防止方法は、記憶媒体を有し、そしてインタネットからの、オーディオビジュアル・データ提供者により提供された観賞オーディオビジュアル・データを即時放送するオーディオビジュアル放送装置に応用される方法であって、（ａ）使用者がインタネットの該オーディオビジュアル・データ提供者を連結するに当たって、先ずオーディオビジュアル放送装置を通してオーディオビジュアル・データ提供者から所定量の特定オーディオビジュアル・データを選び取るとともに、該特定オーディオビジュアル・データを該記憶媒体に記憶するステップと、（ｂ）使用者が該オーディオビジュアル・データ提供者の観賞オーディオビジュアル・データを選択して放送する時に、該オーディオビジュアル・データ提供者は該観賞オーディオビジュアル・データの一部を該記憶媒体の一オーディオビジュアル・データの一時的記憶域に伝送した後すぐ観賞オーディオビジュアル・データの放送を行い、同時に、該観賞オーディオビジュアル・データのその他の部分を該オーディオビジュアル・データの一時的記憶域に継続伝送するステップと、（ｃ）該観賞オーディオビジュアル・データの伝送流量を検査するステップと、（ｄ）該伝送流量が設定値よりも高い場合には、該観賞オーディオビジュアル・データを継続放送すると同時に、該観賞オーディオビジュアル・データを該オーディオビジュアル・データの一時的記憶域に伝送するステップと、（ｅ）該伝送流量が設定値よりも低い場合には、該特定オーディオビジュアル・データを放送とすると同時に該観賞オーディオビジュアル・データを該オーディオビジュアル・データの一時的記憶域に伝送するステップと、（ｆ）ステップ（ｃ）ないしステップ（ｅ）を繰り返すステップと、を備えてなる。（請求項１に対応）
上記本発明の方法において、該記憶媒体は該オーディオビジュアル放送装置に内蔵され又は該オーディオビジュアル放送装置の外側に設置されている。（請求項２に対応）
また、上記本発明の方法において、該記憶媒体はハード・ディスクであり、そして該オーディオビジュアル放送装置はセットトップ・ボックスである。（請求項３に対応）
また、上記本発明の方法において、該オーディオビジュアル・データ提供者はオーディオビジュアル・データ提供サイトである。（請求項４に対応）
また、上記本発明の方法において、該特定オーディオビジュアル・データは広告であり、又は該観賞オーディオビジュアル・データのセグメントである。（請求項５に対応）
さらには、本発明の又他の目的を達成するオーディオビジュアル・データの放送中断の防止方法は、記憶媒体を有しそしてインタネットからの、オーディオビジュアル・データ提供者により提供された観賞オーディオビジュアル・データを即時放送するオーディオビジュアル放送装置に応用される方法であって、（ａ）使用者がインタネットの該オーディオビジュアル・データ提供者を連結するに当たって、先ず該オーディオビジュアル放送装置により該オーディオビジュアル・データ提供者から所定量の特定オーディオビジュアル・データを選び取るとともに、該特定オーディオビジュアル・データを該記憶媒体に記憶するステップと、（ｂ）使用者が該オーディオビジュアル・データを選択して放送する時に、該オーディオビジュアル・データ提供者は該観賞オーディオビジュアル・データの一部を該記憶媒体の一オーディオビジュアル・データの一時的記憶域に伝送した後すぐ該観賞オーディオビジュアル・データの放送を行い、同時に、該観賞オーディオビジュアル・データのその他部分を該オーディオビジュアル・データの一時的記憶域に継続伝送するステップと、（ｃ）該オーディオビジュアル・データの一時的記憶域の観賞オーディオビジュアル・データ記憶量を検査するステップと、（ｄ）該観賞オーディオビジュアル・データ記憶量が設定値よりも高い場合には、該観賞オーディオビジュアル・データを継続放送すると同時に、該観賞オーディオビジュアル・データを該オーディオビジュアル・データの一時的記憶域に伝送するステップと、（ｅ）該観賞オーディオビジュアル・データ記憶量が該設定値よりも低い場合には、該特定オーディオビジュアル・データを放送すると同時に、該観賞オーディオビジュアル・データを該オーディオビジュアル・データの一時的記憶域に伝送するステップと、（ｆ）ステップ（ｃ）ないしステップ（ｅ）を繰り返すステップと、を備えてなる。（請求項６に対応）
上記本発明の方法において該オーディオビジュアル放送装置はセットトップ・ボックスであり、そして該オーディオビジュアル・データ提供者はオーディオビジュアル・データ提供サイトである。（請求項７に対応）
【発明の実施の形態】
以下、添付図面を参照しながら本発明の好適な実施の態様を説明する。
【０００８】
図１は本発明の好適な実施例の構造図である。図に示すように、使用者１１がインタネット１３からの、オーディオビジュアル・データ提供者（図示せず）により提供された観賞オーディオビジュアル・データを見たい場合には、オーディオビジュアル放送装置１２を介して該観賞オーディオビジュアル・データの放送を選択、制御しなければならない。ここに、該オーディオビジュアル・データ提供者はオーディオビジュアル・データ提供サイトであり、そしてオーディオビジュアル放送装置１２はセットトップ・ボックスである。この放送装置には内部に、又はその外側に記憶媒体（例えばハードディスク）が設置されている。
【０００９】
図２は本発明の好適な実施例の動作フローチャートである。すなわち本発明の放送中断の防止方法は、オーディオビジュアル放送装置が起動した後（ステップ２１）、使用者がインタネットの該オーディオビジュアル・データ提供者を連結するに当たって、先ず該オーディオビジュアル放送装置を通して該オーディオビジュアル・データ提供者から所定量の特定オーディオビジュアル・データ（例えば広告）を選び取るとともに、該特定オーディオビジュアル・データを該記憶媒体に記憶し、同時に該オーディオビジュアル放送装置は該使用者が該オーディオビジュアル・データ提供者により提供された観賞オーディオビジュアル・データをクリックしたか否かを検査する動作を実行する（ステップ２２）。
【００１０】
そして使用者が該観賞オーディオビジュアル・データをクリックした場合には、オーディオビジュアル・データ提供者は該観賞オーディオビジュアル・データの一部を、例えば該観賞オーディオビジュアル・データの開始５分前に、該記憶媒体のオーディオビジュアル・データの一時的記憶域に伝送した後すぐ観賞オーディオビジュアル・データの放送を行い、同時に該観賞オーディオビジュアル・データのその他部分を該オーディオビジュアル・データの一時的記憶域に継続伝送し、該観賞オーディオビジュアル・データの放送と同時に、該オーディオビジュアル放送装置により該観賞オーディオビジュアル・データの伝送流量を検査する動作を実行する（ステップ２３）。
【００１１】
その結果、該伝送流量が設定値よりも高い場合は、該観賞オーディオビジュアル・データを継続放送すると同時に、該観賞オーディオビジュアル・データを該オーディオビジュアル・データの一時的記憶域に伝送する（ステップ２４）。反対に、該伝送流量が該設定値より低い場合は、該特定オーディオビジュアル・データを放送するように切替え、同時に、該観賞オーディオビジュアル・データの一時的記憶域に伝送する（ステップ２５）。そして該伝送流量が正常レベルに回復して該設定値よりも高くなると、元の状態に返り、該観賞オーディオビジュアル・データを継続放送する（ステップ２４）。
【００１２】
本発明のオーディオビジュアル放送装置はまた、該オーディオビジュアル・データの一時的記憶域における観賞オーディオビジュアル・データ記憶量を、検査するアイテムとすることができる。そのステップは以下のように行われる。
【００１３】
すなわち、使用者が該観賞オーディオビジュアル・データを選び取ると、該オーディオビジュアル・データ提供者は該観賞オーディオビジュアル・データの一部を、例えば該観賞オーディオビジュアル・データの開始５分前に、該記憶媒体のオーディオビジュアル・データ一時的記憶域に伝送して一設定値に達した後、該観賞オーディオビジュアル・データの放送を行い、同時に、該観賞オーディオビジュアル・データのその他部分を該オーディオビジュアル・データの一時的記憶域に継続伝送し、該観賞オーディオビジュアル・データの放送と同時に、該オーディオビジュアル放送装置により該観賞オーディオビジュアル・データの一時的記憶域の観賞オーディオビジュアル・データ記憶量を検査する動作を実行する（ステップ２３）。
【００１４】
その結果、該観賞オーディオビジュアル記憶量が設定値よりも高い場合は、該観賞オーディオビジュアル・データを継続放送すると同時に、該観賞オーディオビジュアル・データを該オーディオビジュアル・データの一時的記憶域に伝送する（ステップ２４）。反対に、該観賞オーディオビジュアル・データの記憶量が設定値よりも低い場合は、該特定オーディオビジュアル・データを放送するように切替え、同時に、該観賞オーディオビジュアル・データをオーディオビジュアル・データの一時的記憶域に伝送する（ステップ２５）。そして該記憶量が正常レベルに回復して該設定値より高くなると、元の状態に返り、該観賞オーディオビジュアル・データを継続放送する（ステップ２４）。
【００１５】
上記特定オーディオビジュアル・データは使用者により該インタネットのオーディオビジュアル・データ提供者を連結することにより得られ（ステップ２６）、又は製作時に予めオーディオビジュアル放送装置の記憶媒体に記憶させて得られる（ステップ２７）。いずれの方式をとろうと、該特定オーディオビジュアル・データはいずれも予め該記録媒体に記憶される（ステップ２８）。
【００１６】
本発明の特定オーディオビジュアル・データは広告又は観賞オーディオビジュアル・データのセグメントである。そして該オーディオビジュアル・データ提供者はオーディオビジュアル・データ提供サイトである。したがって、本発明の方法を使用する場合、広告業者はオーディオビジュアル・データ提供サイトと協同して広告更新の期限を協定し、商業交流の目的を達成することができる。
【００１７】
【発明の効果】
要するに、本発明は現有のネットワークバンド幅を利用して、ネットワーク即時放送データの流量が中断したために、使用時に画面の停滞又は中断の現象が起こるのを防止し、同時に、ネットワーク視聴データの提供者にネットワーク広告放送の規制を提供できるので、産業の利用価値が大である。
【００１８】
本発明は上記に示すように実施例を挙げて説明したが、これは本発明の技術的手段をより具体的に理解できるために挙げたもので、当然本発明の技術的思想は上記の実施例に限定されるべきでなく、添付の請求項の範囲を逸脱しない限り、当業者による単純な設計変更、付加及び置換等はいずれも本発明の技術的範囲に属する。
【図面の簡単な説明】
【図１】本発明の好適な実施例の構造図である。
【図２】本発明の好適な実施例の動作フローチャーである。
【符号の説明】
１１…使用者  １２…オーディオビジュアル放送装置  １３…インタネット
【図１】
2004289463.tif 000003
【図２】
2004289463.tif 000004